(57)【特許請求の範囲】
【請求項１】
液体を噴出するポンプの噴出口部分に設けた噴出ヘッドであって、噴出ヘッド本体２前面に固定した流路分岐部材３前面の環状位置に多数の分岐噴出口ａを開口して構成してなり、流路分岐部材３は、噴出ヘッド本体２前面より突設した嵌合筒18内に外筒19を嵌合させるとともに、外筒19内面前部より周方向複数突設した連結片20を介して、後部を円錐板状に閉塞した内筒21を、外筒19中央に支持してなる第１部材3Aと、各連結片20を前端の切溝22にそれぞれ嵌合させて外筒19及び内筒21間に周壁23前部を嵌合させるとともに、周壁23内面より内筒21と隙間をあけて延設したテーパ壁24の後端開口を噴出ヘッド本体２の噴出口16に連通させ、且つ、周壁23内側先端部に噴出口16と外部とを連通させる連通溝25を周方向多数設けてその先端をそれぞれ分岐噴出口ａとした第２部材3Bとで構成したことを特徴とする噴出ヘッド。
【発明の詳細な説明】
【０００１】
【発明の属する技術分野】
本発明は噴出ヘッドに関し、詳しくは、押下ヘッド式ポンプやトリガー式ポンプ等の液体噴出ポンプの噴出口部分に設ける噴出ヘッドに関する。
【０００２】
【従来の技術】
押し下げヘッドを上下動させることにより装着した容器体内の液を吸い上げて噴出口より噴出する如く構成した押下ヘッド式のポンプや、トリガーを引くことにより装着した容器体内の液を噴出口より噴出する如く構成したトリガー式ポンプが知られているが、これらのポンプの噴出口は、例えば、前者では押下ヘッド前面より前方へ突出させた筒状ノズルの先端開口や、後者では射出筒先端に嵌着した噴出ヘッド前面中央部に開口する噴出口が一般的形態である。
【０００３】
従来のこの種ポンプでは液を噴出口より棒状に噴出したり、或いはスピン機構を内蔵して霧状に噴出したり等の種々の形態で噴出を行う如く構成しているが、比較的流動性の悪い高粘度の液を取り扱う場合に、従来の棒状噴出型のものでは噴出した液が拡散し難く塗布面積が小さいものとなる。また、噴霧型のものは一般に広範囲の塗布に適しているが、高粘度の液の場合には拡散が行い難い。更に、液によっては広範囲の塗布は要望されるものの霧状に噴霧されるのが好ましくないものもある。
【０００４】
【発明が解決しようとする課題】
本発明はこの様な点に鑑みなされたもので、高粘度の液を噴出しても充分拡散して噴出することができ、また、霧状に噴出されるのが好ましくない液を広範囲に噴出する場合に好適で、噴出液の点在塗布が可能な優れた噴出ヘッドを提案するものである。
【０００５】
また、本発明では極めて簡単な構造で、組み付け操作及び製造が簡単であり、各分岐噴出口から均一な液の噴出を行える噴出ヘッドを提案するものである。
【０００６】
【課題を解決するための手段】
第１の手段として、以下の通り構成した。即ち、液体を噴出するポンプの噴出口部分に設けた噴出ヘッドであって、前面の環状位置に多数の分岐噴出口ａを開口して構成した。
【０００７】
第２の手段として、以下の通り構成した。即ち、前記第１の手段に於いて、上記多数の分岐噴出口ａが、噴出ヘッド本体２前面に固定した流路分岐部材３の前面に開口した分岐噴出口ａであり、流路分岐部材３が、噴出ヘッド本体２前面より突設した嵌合筒18内に外筒19を嵌合させるとともに、外筒19内面前部より周方向複数突設した連結片20を介して、後部を円錐板状に閉塞した内筒21を、外筒19中央に支持してなる第１部材3Aと、各連結片20を前端の切溝22にそれぞれ嵌合させて外筒19及び内筒21間に周壁23前部を嵌合させるとともに、周壁23内面より内筒21と隙間をあけて延設したテーパ壁24の後端開口を噴出ヘッド本体２の噴出口16に連通させ、且つ、周壁23内側先端部に噴出口16と外部とを連通させる連通溝25を周方向多数設けてその先端をそれぞれ分岐噴出口ａとした第２部材3Bとで構成した流路分岐部材３である。
【０００８】
【発明の実施の形態】
以下、本発明の実施例の形態を図面を参照して説明する。
【０００９】
図面は本発明の一実施例を示し、図中Ａは噴出ヘッドを示す。該ヘッドは、容器体に装着して使用し、その容器体内の液体を吸い上げて噴出するポンプの噴出口部分に設けたものであって、前面の環状位置に多数の分岐噴出口ａを開口している。噴出ヘッドを設けるポンプとしては、押下ヘッド式ポンプやトリガー式ポンプ等の公知形態のものが挙げられ、特に噴出口先端からの液垂れを防止する目的で形成されたバックサクションタイプや残圧除去を行う蓄圧タイプのものに応用するのが好ましい。噴出ヘッドは、押下ヘッド式ポンプの場合には押下ヘッドより突設したノズル先端に、トリガー式ポンプの場合には射出筒先端にそれぞれ固定する。
【００１０】
また、図示例の噴出ヘッドＡは、噴出ヘッド本体２と、流路分岐部材３とを備え、連結部材４を介してトリガー式ポンプの射出筒５先端に嵌合固定している。
【００１１】
連結部材４は、射出筒５外周先端部に嵌合させた後筒６を基板７裏面より突設し、また、基板７前面からは前筒８を突設し、その中央に開閉機構を構成する円柱状突部９を突設している。この突部は先端部上下に凹部10を形成している。また、円柱状突部９上方の前筒内の基板７には射出筒内と連通する液流通用の透孔11を設けている。
【００１２】
噴出ヘッド本体２は、前筒８外周に回動可能に嵌合させた回動筒12を前板13裏面より突設するとともに、回動筒12内の前板13裏面より、円柱状突部９外周に摺動可能に嵌合させた摺動筒14を突設している。摺動筒14の後部内面上下には液流通用の凹溝15を設けるとともに、前板13の中央には摺動筒14と連通する噴出口16を設け、この凹溝15と円柱状突部９の凹部10とが連通状態で射出筒と噴出口16とを連通させ、噴出ヘッド本体２を所定角度回動させて凹溝15と凹部10とを非連通とすることにより、射出筒５と噴出口16とを非連通とする如く構成している。また、前板13裏面から連結部材４の前筒８内周に摺動可能に密嵌するシール筒17を突設してこの部分からの液の漏出を防止する如く構成している。更に、前板13の全面より前方へ嵌合筒18を突設している。
【００１３】
流路分岐部材３は、第１部材3A及び第２部材3Bとから構成している。第１部材3Aは、嵌合筒18内に外筒19を嵌合させて噴出ヘッド本体２に固定しており、外筒19外周に周設した突条を嵌合筒18内面に周設した凹溝に強制的に嵌合させて前方への抜け出しを防止している。また、外筒19内面前部より周方向複数突設した連結片20を介して、後部を円錐板状に閉塞した内筒21を、外筒19中央に一体に支持している。
【００１４】
第２部材3Bは、各連結片20を前端の切溝22にそれぞれ嵌合させて外筒19及び内筒21間に周壁23前端部を嵌合させており、周壁23外周後端部に突設した係止突条を外筒19内面に凹設した係止凹溝に係合させて第１部材3Aに嵌着固定している。また、周壁23内面より内筒21と隙間をあけて延設したテーパ壁24の後端開口を噴出ヘッド本体２の噴出口16に連通させている。図示例では、噴出口16周囲の前板13前面と、テーパ壁24の後端面とを環状のパッキンを介して密接して噴出口16とテーパ壁24内とを連通させている。更に、周壁23内側先端部に噴出ヘッドＡの噴出口16と外部とを連通させる連通溝25を周方向多数設けて、その先端を分岐噴出口ａとしてそれぞれ開口している。
【００１５】
図１の実施例では、射出筒５内から噴出された液は透孔11、凹溝15，凹部10、噴出口16を介してテーパ壁24と円錐板状に閉塞した内筒21後部との間の隙間から各連通溝25を通り各分岐噴出口ａから環状に噴出される。
【００１６】
【発明の効果】
以上説明した如く本発明の噴出ヘッドは、既述構成としたことにより、高粘度の液を噴出する場合でも充分広範囲に拡散して噴出することができ、また、環状に点在塗布することもできるため、塗布後の広範囲な引き延ばしも容易に行える。
【００１７】
また、第２の手段の噴出ヘッドでは、円錐板状に閉塞する内筒後部とテーパ壁とで、本体の噴出口から噴出する液を円滑に各連通溝に供給でき、各分岐噴出口からの均一な液の噴出を行えるものである。更に、第１部材及び第２部材を嵌着固定したものを噴出ヘッド本体前面に固定するだけで形成できるため製造も容易に行える利点を兼ね備えている。
【図面の簡単な説明】
【図１】本発明の一実施例を示す縦断面図である。
【図２】同実施例の正面図である。
【符号の説明】
２…噴出ヘッド本体，３…流路分岐部材，3A…第１部材，3B…第２部材，
16…噴出口，18…嵌合筒，19…外筒，20…連結片，21…内筒，24…テーパ壁，
25…連通溝，ａ…分岐噴出口，Ａ…噴出ヘッド
【図１】
0003957953.tif 000002
【図２】
0003957953.tif 000003